(57)【要約】    【課題】  作成した折込みチラシを有効に活用できるようにした折込みチラシの製本システムを提供する。    【解決手段】  折込みチラシ(80)のデータを取り込むデータ入力手段(100)と、表示画面(L)に第１表示領域(L1)及び第２表示領域(L2)を有し、上記入力手段によって取り込まれたデータを用いて折込みチラシを上記第１表示領域に表示する表示手段(110)と、上記第１表示領域に表示された折込みチラシから拡大すべき領域を指定するための抽出指定手段(120)と、該指定された領域の折込みチラシのデータを抽出して上記第２表示領域に表示させる抽出表示制御手段(130)と、上記表示手段の表示画面に表示されたデータを印刷データに変換する印刷制御手段(160)と、該印刷制御手段からの印刷データを受けて上記折込みチラシ及び上記抽出され表示された部分を所定の用紙に印刷する印刷手段(20)と、該印刷された複数枚の用紙を製本する製本装置(30)と、を備える。【選択図】  図１
2007008022.tif 000002
【特許請求の範囲】
【請求項１】
複数の折込みチラシを冊子に製本する製本システムであって、
折込みチラシのデータを取り込むデータ入力手段と、
表示画面に第１表示領域及び第２表示領域を有し、上記入力手段によって取り込まれたデータを用いて折込みチラシを上記第１表示領域に表示する表示手段と、
上記第１表示領域に表示された折込みチラシから拡大すべき領域を指定するための抽出指定手段と、
該指定された領域の折込みチラシのデータを抽出して上記第２表示領域に表示させる抽出表示制御手段と、
上記表示手段の表示画面に表示されたデータを印刷データに変換する印刷制御手段と、  該印刷制御手段からの印刷データを受けて上記折込みチラシ及び上記抽出され表示された部分を所定の用紙に印刷する印刷手段と、
該印刷された複数枚の用紙を製本する製本装置と、を備えたことを特徴とする折込みチラシの製本システム。
【請求項２】
上記入力手段が記憶媒体から上記折込みチラシのデータを取り込むようになっている請求項１記載の折込みチラシの製本システム。
【請求項３】
上記入力手段が上記折込みチラシをスキャンしたスキャナーから上記折込みチラシのデータを取り込むようになっている請求項１記載の折込みチラシの製本システム。
【請求項４】
上記入力手段が通信回線を介して上記折込みチラシのデータを取り込むようになっている請求項１記載の折込みチラシの製本システム。
【請求項５】
上記折込みチラシに指標を付与するための指標付与手段と、上記表示手段の表示画面に表示されたデータを上記付与された指標に応じて分類する分類手段とを更に備え、上記印刷制御手段が上記分類に従って上記印刷手段に印刷データを出力し、上記印刷手段が複数の折込みチラシを分類順に印刷する一方、上記印刷手段が複数の各用紙に上記分類を印刷するようにした請求項１記載の折込みチラシの製本システム。
【請求項６】
複数の用紙が冊子に製本され、該複数の各用紙には折込みチラシが印刷されるとともに、該折込みチラシのうちの指定された部分が上記折込みチラシの印刷領域に隣接して拡大印刷され、さらに上記折込みチラシの分類が印刷され、上記複数の用紙が上記折込みチラシの分類順に並べられていることを特徴とする折込みチラシ冊子。
【発明の詳細な説明】
【技術分野】
【０００１】
本発明は折込みチラシの製本システムに関し、特に作成した折込みチラシを有効に活用できるようにしたシステムに関する。
【背景技術】
【０００２】
折込みチラシは新聞購読者の各家庭に新聞と共に配達され、近所の商店やスーパーマーケットにおける特売品やバーゲンセール、あるいは催しなどを知ることのできる地域の情報源としてよく利用される。
【０００３】
通常、折込みチラシは依頼主がデザイン会社や印刷会社などに折込みチラシの作成を依頼し、依頼主の希望に応じた折込みチラシをデザインして印刷し、出来上がった折込みチラシを新聞販売店に持ち込み、販売店で折込み機などを用いて新聞に挟み込むことが行われている。
【０００４】
ところで、週末になると、数十枚にも及ぶ大量の折込みチラシが新聞と共に配達されることがある。この大量の折込みチラシは寸法も多種多様であり、新聞の購読者が折込みチラシから必要な情報を得ようとしてもなかなか発見できず、結局のところそのまま家庭ごみとして廃棄してしまう傾向がある。
【０００５】
これに対し、依頼主の持ち込む折込みチラシについて寸法と糊代の位置とを指定し、指定通りに印刷された複数の折込みチラシを重ね合わせ、糊代で相互に接着して冊子とし、取り扱いが容易であるとともに、新聞の購読者が必要な情報をすぐに発見できるようにした折込みチラシの冊子が提案されている（特許文献１）。
【０００６】
【特許文献１】特開２００１−２７８７８号公報
【発明の開示】
【発明が解決しようとする課題】
【０００７】
しかし、従来の折込みチラシは特許文献１記載のように冊子とすることによって取り扱い性をアップできるものの、新聞に折り込む度にデザインし印刷することが行われ、一度作成したデザインを何度でも利用するというものではなかった。
【０００８】
本発明はかかる問題点に鑑み、作成した折込みチラシを有効に活用できるようにすることを課題とする。
【課題を解決するための手段】
【０００９】
本件発明者らは上述の課題を解決すべく鋭意検討を重ねた結果、次のことを着目するに至った。最近、折込みチラシをデザインする場合にはパーソナルコンピュータを用いてデザインすることが多く、折込みチラシをデータ形式で入手することができる。そこで、このデータを用いて同一の寸法の折込みチラシを印刷し、冊子に製作し、書店などに並べて一般の消費者が入手できるようにすればよいことに着目するに至った。しかし、例えば不動産の折込みチラシなどではＢ２、Ｂ３、Ｂ４と様々な大きさのチラシが用いられ、これを所定の寸法、例えばＢ４の大きさに印刷すると、Ｂ４の大きさの折込みチラシを除いて縮小する結果となり、譲渡概要や問い合わせ先などの条項が読み難くなってしまう。
【００１０】
本発明に係る折込みチラシの製本システムは、複数の折込みチラシを冊子に製本する製本システムであって、折込みチラシのデータを取り込むデータ入力手段と、表示画面に第１表示領域及び第２表示領域を有し、上記入力手段によって取り込まれたデータを用いて折込みチラシを上記第１表示領域に表示する表示手段と、上記第１表示領域に表示された折込みチラシから拡大すべき領域を指定するための抽出指定手段と、該指定された領域の折込みチラシのデータを抽出して上記第２表示領域に表示させる抽出表示制御手段と、上記表示手段に表示されたデータを印刷データに変換する印刷制御手段と、該印刷制御手段からの印刷データを受けて上記折込みチラシ及び上記抽出表示された部分を所定の用紙に印刷する印刷手段と、該印刷された複数枚の用紙を製本する製本装置と、を備えたことを特徴とする。
【００１１】
本発明の特徴の１つは折込みチラシのデータを用いて用紙に印刷し、用紙を冊子に製本するようにした点にある。これにより、書店や駅の売店、あるいはコンビニエンスストアなどに並べると、一般の消費者が簡単に入手することができ、新聞の折込み用に作成した折込みチラシを有効に活用することができる。
【００１２】
また、本発明の他の特徴は折込みチラシのデータを取り込んで表示し、折込みチラシの必要な部分を領域指定すると、その部分のデータが抽出されて折込みチラシと並んで表示され、この表示画面に表示されたデータが印刷データに合成して変換され、所定の用紙に印刷されるようにした点にある。
【００１３】
これにより、例えば不動産の折込みチラシなどで求められる譲渡概要や問い合わせ先などの条項が拡大印刷されるので、必要な情報を購読者に正確に伝えることができる。
【００１４】
表示画面の第１表示領域及び第２表示領域はどのようなレイアウトであってもよく、例えば第１表示領域の上方に第２表示領域を配置することができる。また、両者はどのような面積比であってもよい。
【００１５】
折込みチラシのデータは依頼者から例えばＭＯなどの記憶媒体の提供を受け、記憶媒体から取り込むようにしてもよく、又スキャナーで折込みチラシをスキャンし、スキャンデータを取り込むようにしてもよく、又インターネットなどの通信回線を介して取り込むようにしてもよい。
【００１６】
即ち、入力手段は記憶媒体から折込みチラシのデータを取り込むように構成されることができる。また、入力手段は折込みチラシをスキャンしたスキャナーから折込みチラシのデータを取り込むように構成されることもできる。さらに、入力手段が通信回線を介して折込みチラシのデータを取り込むように構成されることができる。また、入力手段は上述の３つの方法のうちの２つ以上の方法で折込みチラシのデータを取り込むように構成されることもできる。
【００１７】
折込みチラシの冊子の取り扱いを考慮した場合、複数の折込みチラシを適切な指標に基づいて分類して製本すると、講読者が必要な情報をより簡単に見つけることができる。
【００１８】
即ち、折込みチラシに指標を付与するための指標付与手段と、表示手段に表示されたデータを付与された指標に応じて分類する分類手段とを更に備え、印刷制御手段が分類に従って印刷手段に印刷データを出力して印刷手段が複数の折込みチラシを分類順に従って印刷する一方、印刷手段が複数の各用紙に分類を印刷するように構成することができる。
【００１９】
また、本発明によれば、複数の用紙が冊子に製本され、該複数の各用紙には折込みチラシが印刷されるとともに、該折込みチラシのうちの指定された部分が上記折込みチラシの印刷領域に隣接して拡大印刷され、さらに上記折込みチラシの分類が印刷され、上記複数の用紙が上記折込みチラシの分類順に並べられていることを特徴とする折込みチラシ冊子を提供することができる。
【発明を実施するための最良の形態】
【００２０】
以下、本発明を図面に示す具体例に基づいて詳細に説明する。図１ないし図５は本発明に係る折込みチラシの製本システムの好ましい実施形態を示す。図において、本例のシステムはマイクロコンピュータ（以下、ＰＣという）１０、プリンタ（印刷手段）２０及び製本装置３０から構成されている。
【００２１】
ＰＣ１０は基本的にはＣＰＵ、ＲＡＭ、ＨＤドライブ、キーボードやマウス等の入力装置、ＬＡＮボードやモデム等の通信装置及びディスプレイなどの表示装置から構成され、又機能的には入力手段１００、表示手段１１０、抽出指定手段１２０、抽出表示制御手段１３０、指標付与手段１４０、分類手段１５０及び印刷制御手段１６０から構成されている。
【００２２】
入力手段１００は入力装置とＣＰＵとによってその機能を実現される手段であって、記憶媒体４０の折込みチラシ８０のデータを取り込み、折込みチラシ８０をスキャンしたスキャナ５０の出力データを取り込み、あるいはインターネット６０を介して外部から折込みチラシ８０のデータを取り込むようになっている。
【００２３】
表示手段１１０は表示装置とＣＰＵとによってその機能を実現される手段であって、入力手段１００で取り込んだデータを用いて折込みチラシ８０を第１表示領域Ｌ１に表示する一方、第２表示領域Ｌ２には折込みチラシ８０のうち指定した領域部分のデータを拡大して表示するようになっている。
【００２４】
抽出指定手段１２０は例えばマウスとＣＰＵとによってその機能を実現される手段であって、表示手段１１０に表示された折込みチラシ８０のうちの所望の領域を例えばマウスの操作によって指定するようになっている。
【００２５】
抽出表示手段１３０はＣＰＵによってその機能を実現される手段であって、マウスの操作で指定された領域の折込みチラシ８０のデータを抽出し表示手段１１０の第２表示領域Ｌ２に表示させるようになっている。
【００２６】
指標付与手段１４０は入力装置とＣＰＵによってその機能を実現される手段であって、表示手段１１０に表示された折込みチラシ８０の内容をオペレータが確認し、入力装置、例えばキーボードなどを操作して分類のための指標を与えるようになっている。
【００２７】
分類手段１５０はＣＰＵによってその機能を実現される手段であって、印刷制御手段１６０に分類指示のための信号を与えるようになっている。
【００２８】
印刷制御手段１６０はＣＰＵによってその機能を実現される手段であって、表示手段１１０の第１、第２表示領域Ｌ１、Ｌ２に表示された折込みチラシ８０のデータと抽出データを合成し、合成データ及び指標データをプリンタ２０に出力するようになっている。
【００２９】
プリンタ２０は印刷制御手段１６０の信号を受け、折込みチラシの合成データを用紙８１に印刷するとともに、側縁に指標データを印刷するようになっている。
【００３０】
製本装置３０はプリンタ２０からプリントアウトされ重ねられた複数枚の用紙を例えば糊付けなど、公知の方法、例えば特開平１０−１２９１４９号公報に記載の方法によって冊子に製本するようになっている。
【００３１】
次に、製本方法について説明する。折込みチラシ８０には例えば図２に示されるように、Ｂ４からＢ２までの大きさのチラシがある。折込みチラシ８０のデータが記憶媒体４０に書き込まれ、依頼者から記憶媒体４０の提供を受けると、記憶媒体４０から折込みチラシ８０のデータをＰＣ１０内に取り込み、表示装置の表示画面に表示する。
【００３２】
同様に、依頼者から折込みチラシ８０自体が提供された場合、スキャナ５０で折込みチラシ８０をスキャンし、そのデータをＰＣ１０内に取り込み、表示装置の表示画面に表示する。
【００３３】
また、依頼者のＰＣをインターネット６０を介して本例のＰＣ１０に接続し、依頼者のＰＣから送信された折込みチラシ８０のデータを受信し、ＰＣ１０内に取り込むこともできる。
【００３４】
表示装置の表示画面Ｌには第１表示領域Ｌ１の上方に第２表示領域Ｌ２がレイアウトされ、第１表示領域Ｌ１には折込みチラシが縮小して表示される。縮小率は元の折込みチラシ８０がＢ４の時には８５％、Ｂ３の時には６０％、Ｂ２の時には４２％とする。これはＢ４の用紙に印刷するが、抽出拡大部分も同じ用紙に印刷する必要があることから、縮小率を設定している。また、第２表示領域Ｌ２には折込みチラシから抽出された部分が拡大して表示されるようになっている。拡大率は抽出したデータを第２表示領域Ｌ２に表示させる時にマウスのドラッグ操作やプルダウンメニューなどを用いて任意に設定する。
【００３５】
今、折込みチラシのデータがＰＣ１０内に取り込まれ、表示装置の画面に表示されると、折込みチラシ８０の表側は図４に示されるように表示画面Ｌの第１表示領域Ｌ１に表示され、折込みチラシ８０の裏側は図５に示される表示画面Ｌの第１表示領域Ｌ１に表示される。
【００３６】
次に、マウスを操作してカーソルを移動させ、折込みチラシ８０の裏側の右下領域の一部を指定すると、その領域のデータが抽出され、抽出された部分が折込みチラシ８０の表側を表示した図４の表示画面Ｌの第２表示領域Ｌ２に拡大して表示され、同様に折込みチラシ８０の裏側の右下領域の残部を指定すると、その領域のデータが抽出され、抽出された部分が折込みチラシ８０の裏側を表示した図５の表示画面Ｌの第２表示領域Ｌ２に拡大して表示され、こうして印刷すべき折込みチラシ８０のデータが合成される。
【００３７】
こうして印刷すべき折込みチラシ８０の合成データが得られると、オペレータは折込みチラシ８０の内容を確認し、指標を付与する。指標は例えば地域や折込みチラシの広告内容などに応じて選択する。なお、指標の付与は折込みチラシ８０のデータを取り込んで表示した時に付与するようにしてもよい。
【００３８】
折込みチラシ８０の合成データは指標に応じて分類されてＰＣ１０内に記憶される。複数の折込みチラシ８０のデータの合成が全て完了すると、複数の折込みチラシの合成データ及び分類の指標データがＰＣ１０からプリンタ２０に分類順に出力され、所定の用紙、例えばＢ４の用紙８１に印刷される。
【００３９】
用紙８１には図３に示されるように、中央の領域８１Ａに折込みチラシが、上方の領域８１Ｂに折込みチラシから抽出して拡大された部分が、側縁には分類が印刷される。
【００４０】
こうして複数枚の用紙８１に印刷が完了すると、これを重ねて製本装置３０に送り込むと、糊付けなどによって複数枚の用紙８１が冊子８２に製本される。
【００４１】
次に、図１を用いてＰＣ１０の動作を説明する。記憶媒体４０、スキャナ５０又はインターネット６０から折り込みチラシ８０のデータを入力手段１００が取り込むと、表示手段１１０が第１表示領域に取り込んだ折込みチラシ８０を適切な収縮率又は拡大率でもって収縮し又は拡大して表示する。
【００４２】
抽出指定手段１２０が第１表示領域に表示された折込みチラシ８０の領域を指定すると、抽出表示制御手段１３０が指定された領域のデータを抽出し、表示手段１１０を制御して適切な倍率で拡大して第２表示領域に表示させ、これによって折込みチラシ８０のデータと折込みチラシ８０の一部の抽出拡大部分のデータとの合成データが得られ、合成データは印刷制御手段１６０に入力される。
【００４３】
また、指標付与手段１４０が表示された折込みチラシ８０に指標を付与すると、分類手段１５０が印刷制御手段１６０に分類指示の信号を与え、印刷制御手段１６０は折込みチラシ８０の合成データを指標に従って分類して記憶する。
【００４４】
複数の折込みチラシ８０について処理が済むと、印刷制御手段１６０はプリンタ２０に折込みチラシ８０の合成データ及び指標データを分類順に出力し、プリンタ２０が用紙８１に折込みチラシ８０、抽出拡大部分及び分類を印刷し、印刷された用紙８１は重ねられて製本装置３０に送られ、製本される。
【図面の簡単な説明】
【００４５】
【図１】本発明に係る折込みチラシの製本システムの好ましい実施形態を示す構成図である。
【図２】上記実施形態における製本方法を模式的に示す図である。
【図３】上記実施形態における用紙８１の印刷例を説明するための図である。
【図４】上記実施形態における折込みチラシの表側の表示例を示す図である。
【図５】上記実施形態における折込みチラシの裏側の表示例を示す図である。
【符号の説明】
【００４６】
１０      マイクロコンピュータ（入力手段、抽出指定手段、抽出表示制御手段、指標付与手段、分類手段、印刷制御手段）
２０      プリンタ（表示手段）
３０      製本装置
４０      記憶媒体
５０      スキャナ
６０      インターネット（通信回線）
８０      折込みチラシ
８１      用紙
８２      冊子
【図１】
2007008022.tif 000003
【図２】
2007008022.tif 000004
【図３】
2007008022.tif 000005
【図４】
2007008022.tif 000006
【図５】
2007008022.tif 000007